(57)【特許請求の範囲】
【請求項１】
前面にねじ筒部を有し、このねじ筒部内に直管蛍光灯を装着するランプ装着部を有するソケット本体と、
前記直管蛍光灯が挿通される略円筒状で前記ソケット本体の前記ねじ筒部に螺合する防水リングと、
この防水リング内に嵌められた略円筒状で前記直管蛍光灯が挿通される防水パッキンとを備え、
前記防水リングを前記ソケット本体の前記ねじ筒部に螺合して、前記防水リングで前記防水パッキンを前記ソケット本体側に押し付けることにより、前記直管蛍光灯および前記ソケット本体に前記防水パッキンを密着させて前記直管蛍光灯の前記ランプ装着部を防水するようにした防水ソケットにおいて、
前記ソケット本体は、前記ねじ筒部の少なくとも一箇所に内外貫通して前記直管蛍光灯のランプピンを挿通させ前記直管蛍光灯を前記ランプ装着部に配置させるランプピン挿通溝を設けるとともに、前記ランプピン挿通溝の後端面と同一平面上または前記後端面より奥の前記ねじ筒部の内底面に略環状の防水パッキン当接面を設け、
前記防水リングは、前端部に防水リング当接部を有し、
前記防水パッキンは、内周面にランプ当接面を有し、
前記防水リングを前記ねじ筒部に螺合することにより、前記ランプ当接面を前記直管蛍光灯に密着するとともに、前記防水リング当接部により前記防水パッキンの前端部を軸方向に押圧して後端部を前記防水パッキン当接面に当接したことを特徴とする防水ソケット。
【請求項２】
前記防水パッキンを前記防水リングに挿入し、前記防水リングを前記ねじ筒部に螺合して締付ける前の状態において、前記防水パッキンはその後端部を前記防水リングの外に突出する寸法をもつ請求項1記載の防水ソケット。
【請求項３】
前記防水パッキンはその外側面中間部に、前記防水リングの内面に当接して前記防水リングに係止する外鍔部を設けた請求項１記載の防水ソケット。
【請求項４】
前記外鍔部から前記防水パッキンの後端部までの長さを直管蛍光灯のランプピンの長さに略等しくした請求項３記載の防水パッキン。
【発明の詳細な説明】
【０００１】
【発明の属する技術分野】
この発明は、蛍光灯の防水型照明器具等に取付けられる防水ソケットに関するものである。
【０００２】
【従来の技術】
従来例（例えば実公平７−３５９２号）を図８から図１０に示す。すなわち、この防水ソケットは、回転式ソケットすなわちランプピンを回動させることによりはさみ込んで導電接触するタイプの防水ソケットであって、ソケット本体１００のねじ筒部１０４の少なくとも一箇所にランプピン挿通溝１０４ａがあるため、ランプ口金部Ｌａの防水構造としては、防水パッキン１０２の舌片円周部１０２ａと当接するランプＬの管壁、防水パッキン１０２の凸部１０２ｂと当接する防水リング１０１の内面、およびソケット本体１００のねじ部１０４とこれに螺合する防水リング１０１との間のＯリング１０３の３箇所に設けており、防水部材は防水パッキン１０２とＯリング１０３のそれぞれ独立した２部品から構成されており、防水リング１０１の締付けにより防水パッキン１０２およびＯリング１０３を圧縮変形させることで、各部品の防水性を確保している。１０５はランプピンが給電のため接触する導電接触子である。
【０００３】
図１１はランプピンを突き合わせて導電接触するタイプの防水ソケットであり、この場合はランプピン挿通溝が不要なため、Ｏリングが不要であり、防水パッキン１０２のみでソケット本体１００とランプＬと防水リング１０１に密着して防水している。
【０００４】
【発明が解決しようとする課題】
しかし、挾み込み式の防水ソケットは、Ｏリングがあるため部品点数が多く、これを紛失しやすく、また密着面が多く摩擦抵抗が大きいので防水リングの締付け操作性が悪いという欠点があった。
したがって、この発明の目的は、ランプピン挿通溝を有するものにおいて、防水部品を削減するとともに、防水リングの締付けにより生じる防水部分の摩擦抵抗を低減し、従来のＯリングを圧縮変形させるための大きな力を必要とせず、防水リングの締付け操作性を向上させることができる防水ソケットを提供することである。
【０００５】
【課題を解決するための手段】
請求項１記載の防水ソケットは、前面にねじ筒部を有し、このねじ筒部内に直管蛍光灯を装着するランプ装着部を有するソケット本体と、
前記直管蛍光灯が挿通される略円筒状で前記ソケット本体の前記ねじ筒部に螺合する防水リングと、
この防水リング内に嵌められた略円筒状で前記直管蛍光灯が挿通される防水パッキンとを備え、
前記防水リングを前記ソケット本体の前記ねじ筒部に螺合して、前記防水リングで前記防水パッキンを前記ソケット本体側に押し付けることにより、前記直管蛍光灯および前記ソケット本体に前記防水パッキンを密着させて前記直管蛍光灯の前記ランプ装着部を防水するようにした防水ソケットにおいて、
前記ソケット本体は、前記ねじ筒部の少なくとも一箇所に内外貫通して前記直管蛍光灯のランプピンを挿通させ前記直管蛍光灯を前記ランプ装着部に配置させるランプピン挿通溝を設けるとともに、前記ランプピン挿通溝の後端面と同一平面上または前記後端面より奥の前記ねじ筒部の内底面に略環状の防水パッキン当接面を設け、
前記防水リングは、前端部に防水リング当接部を有し、
前記防水パッキンは、内周面にランプ当接面を有し、
前記防水リングを前記ねじ筒部に螺合することにより、前記ランプ当接面を前記直管蛍光灯に密着するとともに、前記防水リング当接部により前記防水パッキンの前端部を軸方向に押圧して後端部を前記防水パッキン当接面に当接したことを特徴とするものである。
【０００６】
請求項１記載の防水ソケットによれば、ソケット本体のランプピン挿通溝の後端面以上の奥のねじ筒部の内底面に、略環状の防水パッキン当接面を設け、防水パッキンの前端部を防水リングにより押圧して後端部をソケット本体内の防水パッキン当接面に当接させて防水構造としたため、従来例のＯリングを削減でき、Ｏリングの紛失の問題がなくなり、防水面も減らすことができる。その結果、防水リングの締付けによる防水パッキンへの摩擦力を低減し操作性を向上しながら、防水面への密着力を向上させることができ、従来より低コストかつ組立が容易で、さらに小さな締付け力の安定した防水性能が得られる。
【０００７】
請求項２記載の防水ソケットは、請求項1において、前記防水パッキンを前記防水リングに挿入し、前記防水リングを前記ねじ筒部に螺合して締付ける前の状態において、前記防水パッキンはその後端部を前記防水リングの外に突出する寸法をもつものである。
請求項２記載の防水ソケットによれば、請求項1と同様な効果のほか、防水リングに防水パッキンを挿入した状態で、ソケット本体のねじ部へ螺合しながら締めつける際、ランプピン挿通溝から防水パッキンの状態を確認できる。
【０００８】
請求項３記載の防水ソケットは、請求項１において、前記防水パッキンはその外側面中間部に、前記防水リングの内面に当接して前記防水リングに係止する外鍔部を設けたものである。
請求項３記載の防水ソケットによれば、請求項１と同様な効果のほか、防水パッキンの外鍔部を防水リングに係止すると、防水パッキンが抜けにくく外れにくくなる。
【０００９】
請求項４記載の防水ソケットは、請求項３において、前記外鍔部から前記防水パッキンの後端部までの長さを直管蛍光灯のランプピンの長さに略等しくしたものである。
請求項４記載の防水ソケットによれば、請求項３と同様な効果のほか、防水パッキンの全長が長くなり、防水リングの締付けストロークが長いのでリング締付け操作感がよくなる。
【００１０】
【発明の実施の形態】
この発明の一実施の形態を図１から図４により説明する。すなわち、この回転式ソケットの防水ソケットは、ソケット本体１と、防水リング２と、防水パッキン３とを有する。
ソケット本体１は、前面にねじ筒部１１を筒状に突出形成し、このねじ筒部１１に少なくとも一箇所に内外貫通して例えば直管蛍光灯を用いたランプＬのランプピンを挿入させるランプピン挿通溝１２を設け、ねじ筒部１１内にランプＬを配置するランプ装着部１３を設けている。実施の形態のランプ装着部１３はねじ筒部１１内の中央に立設した割り付き筒軸２０に回転自在に取付けた回転子１４を設け、回転子１４にその回転によりランプピン挿通溝１２に整合するランプピン装着溝１５を形成し、回転子１４に覆われるようにランプピンに接触する導電接触子（図示せず）をねじ筒部１１内の筒軸２０の周側面に配設している。ランプピン挿通溝１２を通してランプピン装着部１３のランプピン装着溝１５にランプピンを通した状態でランプピンを回転子１４とともに略９０度回転すると、ランプピンが導電接触子に接触して給電状態となる。またランプピン挿通溝１２の後端面と同一平面上または後端面より奥のねじ筒部１１の内底面に略環状の防水パッキン当接面１ａを設けている。１８は取付部である。
【００１１】
また防水リング２はランプＬを挿通する略円筒状に形成されており、ソケット本体１のねじ筒部１１に螺合するものであり、ねじ部１０を内周面に有する。防水リング２の前端部には内向き鍔状の防水リング当接部１６を設けている。この防水リング２の内に略円筒状でランプＬが挿通される防水パッキン３が配設されている。
【００１２】
防水パッキン３はその前端部を防水リング当接部１６に当接するとともに後端部を防水パッキン当接面１ａに当接する。実施の形態では、ソケット本体１のランプピン挿通溝１２の後端面以上の奥のねじ筒部１１の内底面すなわち防水パッキン当接面１ａに先端が当接する円筒部４と、ランプＬと防水リング２の円筒内面との間に挾装される主筒部５から構成される。円筒部４の断面積は主筒部５より小さく形成される。防水パッキン３の円筒部４のソケット本体１の防水パッキン当接面１ａとの当接面には、円筒部４の断面積よりも小さくなった略環状の凸部９を設けてある。また主筒部５の防水リング２の内面の防水リング当接部１６の当接面にも同様の凸部７を設けている。これらの凸部７、９は防水パッキン当接面１ａおよび防水リング当接部１６の当接面に対して線接触に近い状態で接触するようになっており、防水リング２をソケット本体１のねじ筒部１１に螺合して、防水リング２を締めつけることにより防水パッキン３に作用する摩擦力を低減することができる。
【００１３】
また主筒部５の前端近傍には薄肉部８を設け、薄肉部８の内周面にランプ当接面８ａを設けてあり、防水リング２の締付けにより防水リング当接部１６により軸方向に防水パッキン３に作用する圧縮力を、この薄肉部８でランプ管壁側へ変形させながら逃し、薄肉部８の内周面のランプ当接面８ａをランプ管壁に密着した後、ランプ軸方向へ防水パッキン３を圧縮するように作用し、このとき円筒部４の断面積を主筒部５より小さくしてあるため、ランプ軸方向の圧縮力は、円筒部４の先端の凸部９へ伝わりやすくなり、先述の防水パッキン３の２箇所の防水面に確実に密着力を加えることができ、従来よりも小さな締付け力で安定した防水性能が得られる。
【００１４】
また、防水パッキン３は、これを防水リング２に挿入して防水パッキン３の前端部を防水リング２の前端部に当接した状態で、防水パッキン３の後端部を防水リング２の外方に寸法ｂだけ突出させている。さらに防水パッキン３の円筒部４の中間部に防水リング２の内面に当接して防水リングに係止する外鍔部６を設けている。実施の形態では外鍔部６を係止凹部例えばねじ部１０に係止している。また外鍔部６を円筒部４と主筒部５との境界部の肉厚差による段部２４に連続するように形成している。そして外鍔部６から防水パッキン３の後端部すなわち凸部９までの長さをランプＬのランプピンの長さに略等しくしている。
【００１５】
この実施の形態は、防水リング２をソケット本体１のねじ筒部１１に螺合して、防水リング２で防水パッキン３をソケット本体１側に押し付けることにより、ランプＬ、ソケット本体１および防水リング２に防水パッキン３を密着させてランプＬのランプ装着部１３を防水する。
この実施の形態によれば、ソケット本体１のランプピン挿通溝１２の後端面以上の奥のねじ筒部１１の内底面に、略環状の防水パッキン当接面１ａを設け、防水パッキン３は前端部を防水リング当接部１６に当接させるとともに後端部をソケット本体１内の防水パッキン当接面１ａに当接させて防水構造としたため、従来例のＯリングを削減でき、Ｏリングの紛失の問題がなくなり、防水面も減らすことができる。その結果、防水リング２の締付けによる防水パッキン３への摩擦力を低減し操作性を向上しながら、防水面への密着力を向上させることができ、従来より低コストかつ組立が容易で、さらに小さな締付け力の安定した防水性能が得られる。
【００１６】
また、防水リング２の締付けにより防水パッキン３に作用する圧縮力を主筒部に設けた薄肉部８で逃がすことができ、また防水パッキン３の後端の円筒部４の肉厚を主筒部５より薄くしているため、ランプ軸方向の圧縮力は円筒部４の単位面積当たりに対して主筒部５より大きくなり、ソケット本体１との当接面にはさらに円筒部４の断面積よりも小さくなった凸部９を形成しているから、防水パッキン当接面１ａで生じる摩擦力を低減しながら、密着力を向上することができ、従来よりも小さな締付け力で安定した防水性能が得られる。
【００１７】
防水パッキン３を防水リング２に挿入して防水パッキン３の前端部を防水リング２の前端部に当接した状態で、防水パッキン３の後端部を防水リング２の外に突出させているため、防水リング２をソケット本体１にねじ込む際にまず防水パッキン３が防水パッキン当接面１ａに当接するのですぐに防水効果が得られ、かつ防水リング２の締付けによりゆるみ止め効果が得られる。またはさみ込みソケットの場合、ソケット本体１にランプピン挿通溝１２があり、防水リング２を防水パッキン３を挿入した状態で、ソケット本体１のねじ部１０へ螺合しながら締めつける際、ランプピン挿通溝１２から防水パッキン３の当接部分の密着状態を確認できる。従来は、防水リングの端面より内部に防水パッキンの装着状態だったため、どの位置まで防水リングを締付ければ防水性が保てるのか分かりにくかった。
【００１８】
また、防水パッキン３はその外側面中間部に、防水リング２の内面に当接して防水リング２に係止する外鍔部６を設けたため、防水パッキン３の外鍔部６を防水リング２に係止すると、防水パッキン２が抜けにくく外れにくくなる。すなわち、器具の使用状態から防水リング２を外した状態でも防水パッキン３が防水リング２から脱落することがなく、また防水パッキン３の主筒部５と円筒部４へ防水リング２の締付けにより作用する圧縮力を、段部２４または段部２４に連続した外鍔部６の位置を調整することで、段部２４をソケット本体１のねじ筒部１１の上端面に押し当てて、防水パッキン３の圧縮変形量を主筒部４と円筒部５で設定可能となり、例えば管径の異なるランプＬに対して、防水パッキン３のみの形状違い品により他の部品を共通化することができる。
【００１９】
さらに、外鍔部６から防水パッキン３の後端部すなわち凸部９までの長さをランプＬのランプピンの長さに略等しくしているため、防水パッキン３の全長が長くなり、防水リング２の締付けストロークが長いのでリング締付け操作感がよくなる。
なお、防水パッキン当接面１ａは、ランプピン挿通溝１２の後端面と同一平面上のねじ筒部１１の内底面に形成したが、ねじ筒部１１の内底面をランプピン挿通溝１２の後端面より奥になるように形成して、ランプピン挿通溝１２の後端面より奥のねじ筒部１１の内底面に略環状の防水パッキン当接面１ａを設けてもよい。
【００２０】
図５は、防水ソケットは前記と同じであるが、ランプＬの直径が（ａ）〜（ｃ）のように上記の実施の形態を示す（ｄ）〜（ｆ）と比べて小さい例である。この場合、防水パッキン３の薄肉部８が防水リング２の締付けに伴って（ｃ）から順次（ａ）に至るように大きく屈曲することにより管径の違いを吸収し、ランプ当接面８ａがランプＬの外周に密着する。なお、ランプＬの管径に合わせて防水パッキン３の断面積を大きくしたり、内径を変えることは可能である。
【００２１】
図６および図７は小径のランプＬに適応する防水リング２および防水パッキン３の他の実施の形態であり、防水リング２は中間に傾斜段部２３を設けて前端側を小径にし、前端部の防水リング当接部１６の傾斜面を大きくしている。防水パッキン３は防水リング２に合わせて主筒部５の径を小さくし、前端部を中心側に傾斜してその前端を防水リング当接部１６に当接する凸部７とし、前端内周縁をランプ当接面８ａとしている。防水リング２を締めつけると凸部７が防水リング当接部１６の傾斜に沿って径方向中心側に押されながら密着し、ランプ当接面８ａがランプＬに密着し、防水が得られる。
【００２２】
その他は、前記の実施の形態と同様である。
【００２３】
【発明の効果】
請求項１記載の防水ソケットによれば、ソケット本体のランプピン挿通溝の後端面以上の奥のねじ筒部の内底面に、略環状の防水パッキン当接面を設け、防水パッキンの前端部を防水リングにより押圧して後端部をソケット本体内の防水パッキン当接面に当接させて防水構造としたため、従来例のＯリングを削減でき、Ｏリングの紛失の問題がなくなり、防水面も減らすことができる。その結果、防水リングの締付けによる防水パッキンへの摩擦力を低減し操作性を向上しながら、防水面への密着力を向上させることができ、従来より低コストかつ組立が容易で、さらに小さな締付け力の安定した防水性能が得られる。
【００２４】
請求項２記載の防水ソケットによれば、請求項1と同様な効果のほか、防水リングに防水パッキンを挿入した状態で、ソケット本体のねじ部へ螺合しながら締めつける際、ランプピン挿通溝から防水パッキンの状態を確認できる。
請求項３記載の防水ソケットによれば、請求項１と同様な効果のほか、防水パッキンの外鍔部を防水リングに係止すると、防水パッキンが抜けにくく外れにくくなる。
【００２５】
請求項４記載の防水ソケットによれば、請求項３と同様な効果のほか、防水パッキンの全長が長くなり、防水リングの締付けストロークが長いのでリング締付け操作感がよくなる。
【図面の簡単な説明】
【図１】この発明の一実施の形態を示し、（ａ）は使用状態の一部破断側面図、（ｂ）は正面図である。
【図２】分解側面図である。
【図３】（ａ）は防水リングの締付け前の一部破断側面図、（ｂ）は防水リングおよび防水キャップの半断面側面図である。
【図４】（ａ）は防水リングを分離した状態の一部破断平面図、（ｂ）は防水リングを螺合して締付ける前の状態の一部破断平面図、（ｃ）は使用状態の一部破断平面図である。
【図５】（ａ）〜（ｃ）はランプの管径が小さい場合の防水リングの締付け動作を説明する一部破断側面図、（ｄ）〜（ｆ）はランプの管径が大きい場合の防水リングの締付け動作を説明する一部破断側面図である。
【図６】防水リングおよび防水パッキンの他の実施の形態を示し、（ａ）はその使用状態の一部破断側面図、（ｂ）はその正面図である。
【図７】分解側面図である。
【図８】従来例を示し、（ａ）は使用状態の一部破断側面図、（ｂ）はその正面図である。
【図９】その分解側面図である。
【図１０】従来例の防水リングの締付け前の状態の一部破断側面図、（ｂ）はその防水リングおよび防水パッキンの半断面側面図である。
【図１１】突き合わせ式のソケットを示し、（ａ）はその一部破断側面図、（ｂ）はその正面図である。
【符号の説明】
１    ソケット本体
１ａ    防水パッキン当接面
２    防水リング
３    防水パッキン
６    外鍔部
１１    ねじ筒部
１２    ランプ挿通溝
１３    ランプ装着部
１６    防水リング当接部
Ｌ    ランプ
【図１】
0003548685.tif 000002
【図２】
0003548685.tif 000003
【図３】
0003548685.tif 000004
【図４】
0003548685.tif 000005
【図５】
0003548685.tif 000006
【図６】
0003548685.tif 000007
【図７】
0003548685.tif 000008
【図８】
0003548685.tif 000009
【図９】
0003548685.tif 000010
【図１０】
0003548685.tif 000011
【図１１】
0003548685.tif 000012